【手続補正書】
【提出日】平成24年11月16日(2012.11.16)
【手続補正１】
【補正対象書類名】特許請求の範囲
【補正対象項目名】全文
【補正方法】変更
【補正の内容】
【特許請求の範囲】
【請求項１】
梁の上に母屋を所望間隔で設置し、その上に角波板を敷き、前記角波板を前記角波板の谷部の上からコネクターで前記母屋に固定し、前記コネクターの上にパネルと植生マットを一体化させた緑化パネルを前記パネル側の面が前記角波板に面するように載置し、前記コネクターで前記緑化パネルの荷重を受けるように前記コネクターに前記緑化パネルを固定するようにしたことを特徴とする角波屋根上を緑化する為の屋根の施工方法。
【請求項２】
前記コネクターは、折り曲げた形状を有し、かつ、前記母屋に固定する固定部と、前記固定部を上方に折り曲げた立ち上げ部と、前記立ち上げ部の上端を折り曲げて前記固定部と平行になるように形成した、前記緑化パネルの荷重を受けて固定する受け部とを有するとともに、前記立ち上げ部の高さが前記角波板の角波の高さと略等しくなっていることを特徴とする請求項１に記載の角波屋根上を緑化する為の屋根の施工方法。
【請求項３】
前記コネクターは、平板を凹状に折り曲げたような形状を有し、前記凹状に折り曲げたような形状における底の部分が所望長の幅で前記母屋に固定する固定部となり、前記固定部の左右を略９０度上方に折り曲げた部分が立ち上げ部となり、さらに左右の前記立ち上げ部の上端をそれぞれ９０度折り曲げて前記固定部と平行になるように形成した部分が前記緑化パネルの荷重を受けて固定する受け部となっているとともに、左右の前記立ち上げ部の高さが前記角波板の角波の高さと略等しくなっていることを特徴とする請求項1又は２に記載の角波屋根上を緑化する為の屋根の施工方法。
【請求項４】
２枚の前記緑化パネルのそれぞれの端部を突き合わせて隣接させ、前記コネクターにおける前記固定部の左右に設けられている受け部で２枚の前記緑化パネルをそれぞれ固定するようにしたことを特徴とする請求項３に記載の角波屋根上を緑化する為の屋根の施工方法。
【請求項５】
梁の上に母屋が所望間隔で設置され、その上に角波板が敷かれ、前記角波板は前記角波板の谷部の上からコネクターにより前記母屋に固定され、前記コネクターの上にパネルと植生マットが一体化された緑化パネルが前記パネル側の面が前記角波板に面するように載置され、前記コネクターで前記緑化パネルの荷重を受けるように前記コネクターに前記緑化パネルが固定されていることを特徴とする角波屋根上を緑化する為の屋根構造。
【請求項６】
前記コネクターは、折り曲げた形状を有し、かつ、前記母屋に固定する固定部と、前記固定部を上方に折り曲げた立ち上げ部と、前記立ち上げ部の上端を折り曲げて前記固定部と平行になるように形成した、前記緑化パネルの荷重を受けて固定する受け部とを有するとともに、前記立ち上げ部の高さが前記角波板の角波の高さと略等しくなっていることを特徴とする請求項５に記載の角波屋根上を緑化する為の屋根構造。
【請求項７】
前記梁は、片持支柱により支持されていることを特徴とする請求項５又は６に記載の角波屋根上を緑化する為の屋根構造。
【手続補正２】
【補正対象書類名】明細書
【補正対象項目名】００１５
【補正方法】変更
【補正の内容】
【００１５】
上記の目的を達成するために、この発明に係る角波屋根上を緑化する為の屋根の施工方法は、梁の上に母屋を所望間隔で設置し、その上に角波板を敷き、前記角波板を前記角波板の谷部の上からコネクターで前記母屋に固定し、前記コネクターの上にパネルと植生マットを一体化させた緑化パネルを前記パネル側の面が前記角波板に面するように載置し、前記コネクターで前記緑化パネルの荷重を受けるように前記コネクターに前記緑化パネルを固定するようにしたことを特徴としている。
また、この発明に係る角波屋根上を緑化する為の屋根構造は、梁の上に母屋が所望間隔で設置され、その上に角波板が敷かれ、前記角波板は前記角波板の谷部の上からコネクターにより前記母屋に固定され、前記コネクターの上にパネルと植生マットが一体化された緑化パネルが前記パネル側の面が前記角波板に面するように載置され、前記コネクターで前記緑化パネルの荷重を受けるように前記コネクターに前記緑化パネルが固定されていることを特徴としている。
【手続補正３】
【補正対象書類名】明細書
【補正対象項目名】００１６
【補正方法】変更
【補正の内容】
【００１６】
また、この発明の角波屋根上を緑化する為の屋根の施工方法及び屋根構造においては、前記コネクターは、折り曲げた形状を有し、かつ、前記母屋に固定する固定部と、前記固定部を上方に折り曲げた立ち上げ部と、前記立ち上げ部の上端を折り曲げて前記固定部と平行になるように形成した、前記緑化パネルの荷重を受けて固定する受け部とを有するとともに、前記立ち上げ部の高さが前記角波板の角波の高さと略等しくなっていることが好ましい。
また、この発明の角波屋根上を緑化する為の屋根の施工方法においては、前記コネクターは、平板を凹状に折り曲げたような形状を有し、前記凹状に折り曲げたような形状における底の部分が所望長の幅で前記母屋に固定する固定部となり、前記固定部の左右を略９０度上方に折り曲げた部分が立ち上げ部となり、さらに左右の前記立ち上げ部の上端をそれぞれ９０度折り曲げて前記固定部と平行になるように形成した部分が前記緑化パネルの荷重を受けて固定する受け部となっているとともに、左右の前記立ち上げ部の高さが前記角波板の角波の高さと略等しくなっていることが好ましい。
【手続補正４】
【補正対象書類名】明細書
【補正対象項目名】００１７
【補正方法】変更
【補正の内容】
【００１７】
また、この発明の角波屋根上を緑化する為の屋根の施工方法においては、２枚の前記緑化パネルのそれぞれの端部を突き合わせて隣接させ、前記コネクターにおける前記固定部の左右に設けられている受け部で２枚の前記緑化パネルをそれぞれ固定することが好ましい。
【手続補正５】
【補正対象書類名】明細書
【補正対象項目名】００１８
【補正方法】削除
【補正の内容】
【手続補正６】
【補正対象書類名】明細書
【補正対象項目名】００２９
【補正方法】変更
【補正の内容】
【００２９】
また好ましくは、コネクターは、折り曲げた形状を有し、かつ、母屋に固定する固定部と、固定部を上方に折り曲げた立ち上げ部と、立ち上げ部の上端を折り曲げて固定部と平行になるように形成した、緑化パネルの荷重を受けて固定する受け部とを有するとともに、立ち上げ部の高さが角波板の角波の高さと略等しくなるようにする。例えば、コネクターは、平板を凹状に折り曲げたような形状を有し、凹状に折り曲げたような形状における底の部分が所望長の幅で母屋に固定する固定部となり、固定部の左右を略９０度上方に折り曲げた部分が立ち上げ部となり、さらに左右の立ち上げ部の上端をそれぞれ９０度折り曲げて固定部と平行になるように形成した部分が緑化パネルの荷重を受けて固定する受け部となるようにするとともに、左右の立ち上げ部の高さが角波板の角波の高さと略等しくなるようにする。
【手続補正７】
【補正対象書類名】明細書
【補正対象項目名】００３１
【補正方法】変更
【補正の内容】
【００３１】
また好ましくは、２枚の緑化パネルのそれぞれの端部を突き合わせて隣接させ、コネクターにおける固定部の左右に設けられている受け部で２枚の緑化パネルをそれぞれ固定する。一つの固定部の左右に設けられている受け部で２枚のパネルを固定できるので作業効率が高まるとともに、工事に必要な部材を削減でき軽量化を図れる。また、後述する実施例２のように防水・止水対策を施す場合、１枚のパネルの中間部分にはパネルを貫通するボルトがないので、パネルの止水対策を行いやすい。
【手続補正８】
【補正対象書類名】明細書
【補正対象項目名】００４２
【補正方法】変更
【補正の内容】
【００４２】
コネクター１１は例えば図３に示すように、底の部分の幅が角波板４の谷部の幅より若干短くなるように平板を凹状に折り曲げたような形状を有している。そして、凹状に折り曲げたような形状における底の部分が所望長の幅で母屋３に固定する固定部１１１となり、固定部１１１の左右を略９０度上方に折り曲げた部分が立ち上げ部１１２となり、さらに左右の立ち上げ部１１２の上端をそれぞれ９０度折り曲げて固定部１１１と平行になるように形成した部分が緑化パネル６の荷重を受けて固定する受け部１１３となっている。また、左右の立ち上げ部１１２の高さは角波板４の角波の高さ（山の高さ）と略等しくなっている。また、固定部１１１にはボルト１２を通すためのボルト用透孔１２１が、固定部１１１の左右に設けられている受け部１１３にはボルト１３を通すためのボルト用透孔１３１がそれぞれ形成されている。
【手続補正９】
【補正対象書類名】明細書
【補正対象項目名】００４４
【補正方法】変更
【補正の内容】
【００４４】
そして、緑化パネル６をコネクター１１に固定するには、相隣接する２枚の緑化パネル６の強化フレーム９が設けられたそれぞれの端部を突き合わせてコネクター１１における固定部１１１の左右に設けられている受け部１１３にそれぞれの緑化パネル６の端部を載せ、ボルト１３をコネクター１１のボルト用透孔１３１，緑化パネル６のボルト用透孔１３２，固定金具１５のボルト用透孔１５１を挿通させて固定金具１３２の上からナット１４により固定する。なお、実際の作業時においては、ボルト１３をコネクター１１のボルト用透孔１３１を挿通させた状態で予め固定しておき、この状態のコネクター１１をボルト１２で母屋３に固定するようにする。あるいは、コネクター１１のボルト用透孔１３１をボルト１３に対応させたネジ孔とし、固定金具１３２の上からボルト１３を挿通させて緑化パネル６をコネクター１１に固定するようにしてもよい。
【手続補正１０】
【補正対象書類名】明細書
【補正対象項目名】００５２
【補正方法】変更
【補正の内容】
【００５２】
本発明は、片持ち支柱の駐輪場の角波屋根や、バイク置き場やカーポートやバス停などの各種上屋の角波板の屋根について、新設時は勿論のこと、既設の角波板を葺いた屋根についてもコネクターを取り付けるという簡単な改修工事により緑化パネルを取り付けることができ、角波屋根の上を連続した植栽で緑化することが必要とされるあらゆる分野に有用である。